(57)【要約】【課題】  折板屋根のハゼ締め作業におけるハゼ接ぎ部の曲げ加工を均一かつ綺麗に仕上げることができ、しかも、構造も極めて簡単で汎用性の高い折板屋根用ハゼ締め器のハゼ締めジョーズ機構を提供すること。【解決手段】  操作レバー１を往復揺動させることによって、対向配置された一対のジョーズ21・22を相対咬合させて折板屋根Ｒの隣合うハゼ接ぎ部Ｈ同士を押圧して折り接ぎせしめるハゼ締め器において、前記対を成すジョーズ21・22の少なくとも一方側のジョー21又は22の端部形状を、弧状に反曲するカンバー部23とした。【選択図】  図１
2008255674.tif 000002
【特許請求の範囲】
【請求項１】
操作レバー１を往復揺動させることによって、対向配置された一対のジョーズ21・22を相対咬合させて折板屋根Ｒの隣合うハゼ接ぎ部Ｈ同士を押圧して折り接ぎせしめるハゼ締め器において、
前記対を成すジョーズ21・22の少なくとも一方側のジョー21の端部形状を、弧状に反曲するカンバー部23としたことを特徴とする折板屋根用ハゼ締め器のハゼ締めジョーズ機構。
【請求項２】
顎部２においてカンバー部23がジョーズ21又は22の両端に設けられていることを特徴とする請求項１記載の折板屋根用ハゼ締め器のハゼ締めジョーズ機構。
【請求項３】
顎部２におけるジョーズ21・22の一方が、操作レバー１により往復動可能な可動ジョーであり、他方がハゼ接ぎ部Ｈに固定可能な固定ジョーであることを特徴とする請求項１または２に記載の折板屋根用ハゼ締め器のハゼ締めジョーズ機構。
【請求項４】
顎部２のジョーズ21・22の一方に設けた固定ジョーに支持ハンドル３が接続されていることを特徴とする請求項３記載の折板屋根用ハゼ締め器のハゼ締めジョーズ機構。
【請求項５】
顎部２におけるジョーズ21・22両方が、操作レバー１・１に接続された可動ジョーであることを特徴とする請求項１または２に記載の折板屋根用ハゼ締め器のハゼ締めジョーズ機構。
【発明の詳細な説明】
【技術分野】
【０００１】
本発明は、折板屋根用ハゼ締め器におけるハゼ締めジョーズ機構の改良、詳しくは、折板屋根のハゼ締め作業におけるハゼ接ぎ部の曲げ加工を均一かつ綺麗に仕上げることができ、しかも、構造も極めて簡単で汎用性の高い折板屋根用ハゼ締め器のハゼ締めジョーズ機構に関するものである。
【背景技術】
【０００２】
周知の通り、折板屋根を施工する際には、隣合う折板の折端を重ねてハゼ部を作り、その側部に形成されるハゼ接ぎ部を内側に折曲げて折板同士を接合するのが一般的である。
【０００３】
そして、このようなハゼ接ぎ部の折曲げ加工を行う道具としては、＜特許文献１＞にあるようなハンドルを開閉操作してハゼ部を挟んだ状態で顎部を咬合させると同時に、その顎部の当接部分でハゼ接ぎ部を押圧して内側に折曲げることが可能なプライヤー型の手動工具（通称「ガッチャー」）が頻繁に使用される。
【０００４】
しかしながら、上記従来の手動工具を使用してハゼ締めする際には、未加工で、かつ、顎部に直接当接しない隣接領域のハゼ接ぎ部を巻き込みながら折曲げる必要があり、その際、顎部の端部に荷重が集中してハゼ接ぎ部を歪曲させてしまい、それによって曲げ加工後のハゼ接ぎ部が凸凹になって仕上がりの外観を悪化させてしまっていた。
【０００５】
一方、従来においては、並設されたローラー群の間にハゼ部を挟み込み、その後、ローラーを回転させることによってハゼ接ぎ部をローラーで均しながら連続的に折曲げ加工することができるハゼ締め装置も公知となっている（例えば、特許文献２参照）。
【０００６】
ところが、上記従来のローラーを用いたハゼ締め機構に関しては、綺麗に曲げ加工することが可能であるものの、ローラーの取付け構造や回転機構が非常に複雑であったことから、高価な装置としてしか実現することができなかった。
【特許文献１】実開昭５１−１２２７４号公報（第１−２頁、第１〜５図）
【特許文献２】特許第３１８２６４５号公報（第２−８頁、第１〜１０図）
【発明の開示】
【発明が解決しようとする課題】
【０００７】
本発明は、上記の如き問題に鑑みて為されたものであり、その目的とするところは、折板屋根のハゼ締め作業におけるハゼ接ぎ部の曲げ加工を均一かつ綺麗に仕上げることができ、しかも、構造も極めて簡単で汎用性の高い折板屋根用ハゼ締め器のハゼ締めジョーズ機構を提供することにある。
【課題を解決するための手段】
【０００８】
本発明者が、上記課題を解決するために採用した手段を添付図面を参照して説明すれば次のとおりである。
【０００９】
即ち、本発明は、操作レバー１を往復揺動させることによって、対向配置された一対のジョーズ21・22を相対咬合させて折板屋根Ｒの隣合うハゼ接ぎ部Ｈ同士を押圧して折り接ぎせしめるハゼ締め器において、
前記対を成すジョーズ21・22の少なくとも一方側のジョー21又は22の端部形状を、弧状に反曲するカンバー(camber)部23とした点に特徴がある。
【００１０】
また、本発明においては、上記課題を解決するために、必要に応じて上記手段に加え、顎部２においてカンバー部23をジョーズ21又は22の両端に設けるという技術的手段を採用することができる。
【００１１】
また、本発明においては、上記課題を解決するために、必要に応じて上記手段に加え、顎部２におけるジョーズ21・22の一方を、操作レバー１により往復動可能な可動ジョーとし、他方をハゼ接ぎ部Ｈに固定可能な固定ジョーとするという技術的手段を採用することができる。
【００１２】
また、本発明においては、上記課題を解決するために、必要に応じて上記手段に加え、顎部２のジョーズ21・22の一方に設けた固定ジョーに支持ハンドル３を接続するという技術的手段を採用することができる。
【００１３】
また、本発明においては、上記課題を解決するために、必要に応じて上記手段に加え、顎部２におけるジョーズ21・22の両方を、操作レバー１・１に接続された可動ジョーとするという技術的手段を採用することができる。
【発明の効果】
【００１４】
本発明では、操作レバーで咬合可能な顎部において、一対のジョーズの少なくとも一方側の端部形状を弧状に反曲したカンバー部としたことにより、顎部でハゼ部を挟んだ際にカンバー部がハゼ接ぎ部を押圧して徐々に曲げていくことが可能となるため、荷重が一部に集中してハゼ接ぎ部を局部的に歪曲させてしまうことはなく、ハゼ接ぎ部の曲げ加工を均一かつ綺麗な外観に仕上げることができる。
【００１５】
さらに、本発明におけるハゼ締めジョーズ機構は、顎部の当接部分の端部にカンバー部を設けるだけの極めて簡単な構造であることから、顎部を用いたハゼ締め器具ならば手動工具から自動工具まで形態を問わずに適用することができるため、その汎用性は非常に高い。
【００１６】
したがって、本発明により、折板屋根のハゼ締め作業を満足できる外観に仕上げることができる機能性に優れたハゼ締め器具を提供することができることから、本発明の実用的利用価値は頗る高い。
【発明を実施するための最良の形態】
【００１７】
『実施例１』
まず、本発明の実施例１について、図１から図５に基いて説明する。まず、符号１で指示するものは、操作レバーであり、符号２で指示するものは、顎部である。次いで、符号３で指示するものは、支持ハンドルである。
【００１８】
しかして、本実施例の構成を以下に説明する。まず、本実施例では、把手部11を備えた操作レバー１を往復揺動させることにより、前記レバー１の端部に配設された顎部２の対向配置された一対のジョーズ21・22が相対咬合して折板屋根Ｒの隣合うハゼ接ぎ部Ｈ同士を押圧できるように構成した（図１、図２参照）。
【００１９】
具体的には、顎部２の一方側のジョー21を、ハゼ接ぎ部Ｈ上に載置して固定可能な固定ジョーとし、更にその固定ジョー21の上部に設けた枢支部12に、ベルクランク状の操作レバー１の屈曲部を軸支ピン13で回動自在に枢着して、顎部２のもう一方側のジョー22を前記操作レバー１の端部に可動ジョーとして配設した。
【００２０】
また、顎部２の固定ジョー21には支持ハンドル３を接続したことにより、この支持ハンドル３の把手部31と前記操作レバー１の把手部11とを両手で掴んで力が込もったレバー操作を行うことができる。
【００２１】
そして、前記顎部２の可動ジョー22の端部には、弧状に反曲するカンバー部23を形成した（図３参照）。
【００２２】
上記のように構成したことにより、図４に示すように顎部２の可動ジョー21を回動させてハゼ接ぎ部Ｅを折り込んだ際、図５に示すように可動ジョー21のカンバー部23がハゼ接ぎ部Ｅを徐々に押圧しながら曲げていくため、荷重が一部に集中してハゼ接ぎ部Ｈを局部的に歪曲させてしまうことはなく、ハゼ接ぎ部Ｈの曲げ加工を均一かつ綺麗な外観に仕上げることができる。
【００２３】
なお、本実施例では、顎部２の可動ジョー22に形成したカンバー部23の形状を緩やかな円弧状とすることにより、ハゼ締め時に生じる荷重の分散効果をより高めている。
【００２４】
また、顎部２においてカンバー部23・23を可動ジョー22の両端に形成したことにより、ハゼ締め作業の進行方向が限定されることもない。
【００２５】
そして更に、顎部２の可動ジョー22に配設するカンバー部23は切削等の簡単な成形手段で作成できるため、余計な製造コストが嵩むこともない。
【００２６】
『実施例２』
次に、本発明の実施例２について、図６及び図７に基いて以下に説明する。まず、本実施例において符号４で指示するものは、固定台である。本実施例では、隣接するハゼ接ぎ部Ｅ間に吊子部材Ｔを挿入すると共に、この吊支部材Ｔ上にキャップ部材Ｃを嵌着し、そしてこのキャップ部材Ｃの両端を折曲げて折板を接合する折板屋根Ｒ用のハゼ締め器であって、キャップ部材Ｃの溝部に嵌挿して固定可能な固定台４の両側に枢支部12・12を設ける一方、それらの枢支部12・12には操作レバー１・１を枢着して顎部２のジョーズ21・22両方が可動ジョーとなるように構成した（図６、図７参照）。
【００２７】
『実施例３』
次に、本発明の実施例３について、図８及び図９に基いて以下に説明する。まず、本実施例中において符号５で指示するものは駆動モーターであり、符号６で指示するものは、クランクスライダ機構である。本実施例では、駆動モーター５の出力軸51の回転をクランクスライダ機構６のクランクアーム61及び揺動アーム62により往復動に変換して顎部２の可動ジョー22を回動せしめるように構成した（図８、図９参照）。
【００２８】
このように、本発明におけるハゼ締めジョーズ機構は、様々なハゼ締め器に対して適用することが可能であるため、汎用性は非常に高い。
【００２９】
本発明は、概ね上記のように構成されるが、図示の実施形態に限定されるものでは決してなく、「特許請求の範囲」の記載内において種々の変更が可能であって、例えば、顎部２を備えたハゼ締め器の形態は、流体圧シリンダやリンク機構を使用したものでもよく、また、顎部２のジョーズ21・22に設けるカンバー部23に関しても、弧状に反曲した形状であれば、放物線状であってもよい。
【００３０】
そしてまた、顎部２の固定ジョー21や固定台４に、可動ジョー21に形成したカンバー部23の始点位置を確認可能な目印を付すことにより、ハゼ締め器の進行距離を把握し易くしてもよく、何れも本発明の技術的範囲に属する。
【産業上の利用可能性】
【００３１】
近年では、低コストに施工することができ、しかも非常に頑丈な構造の折板屋根の人気が高く、建築業界では折板屋根の施工を迅速かつ綺麗に行うことができるハゼ締め器具が求められている。
【００３２】
そのような中で、本発明の折板屋根用ハゼ締め器のハゼ締めジョーズ機構は、ハゼ締めを外観良く仕上げることができ、しかも、簡単な手動器具から複雑な自動装置まで様々な形態のハゼ締め器具に対して適用可能な極めて実用的な技術であることから、本発明の産業上の利用価値は非常に高いと云える。
【図面の簡単な説明】
【００３３】
【図１】本発明の実施例１におけるハゼ締め器を表わす全体斜視図である。
【図２】本発明の実施例１におけるハゼ締め器の使用時の状態を表わす状態説明図である。
【図３】本発明の実施例１における顎部の可動ジョーを表わす部分斜視図である。
【図４】本発明の実施例１におけるハゼ締め器の使用時の状態を表わす状態説明図である。
【図５】本発明の実施例１におけるハゼ接ぎ部の曲げ加工状態を表わすＸ−Ｘ断面からみた状態説明図である。
【図６】本発明の実施例２におけるハゼ締め器の使用時の状態を表わす状態説明図である。
【図７】本発明の実施例２におけるハゼ締め器の使用時の状態を表わす状態説明図である。
【図８】本発明の実施例３におけるハゼ締め器を表わす全体上面図である。
【図９】本発明の実施例３におけるハゼ締め器の使用時の状態を表わすＹ−Ｙ断面からみた状態説明図である。
【符号の説明】
【００３４】
１  操作レバー
11  把手部
12  枢支部
13  軸支ピン
２  顎部
21，22  ジョーズ
23  カンバー部
３  支持ハンドル
31  把手部
４  固定台
５  駆動モーター
51  出力軸
６  クランクスライダ機構
61  クランクアーム
62  揺動アーム
Ｒ  折板屋根
Ｈ  ハゼ接ぎ部
Ｔ  吊子部材
Ｃ  キャップ部材
【図１】
2008255674.tif 000003
【図２】
2008255674.tif 000004
【図３】
2008255674.tif 000005
【図４】
2008255674.tif 000006
【図５】
2008255674.tif 000007
【図６】
2008255674.tif 000008
【図７】
2008255674.tif 000009
【図８】
2008255674.tif 000010
【図９】
2008255674.tif 000011